(57)【要約】  本発明は、装着状態において生じる位置ずれを抑制することが可能な使い捨ておむつ等の吸収性物品を提供することを目的とする。使い捨ておむつ１は、幅方向に沿うように胴開口の縁部を有する前身頃２１及び後身頃２２と、股下部２３とを有するシャーシ２と、シャーシ２よりも高剛性である縦長状の吸収体４とを備える。前身頃２１および後身頃２２は幅方向ＷＤに伸縮性が得られる複合シートで構成され、後身頃２２における接合部２４の第１最下点Ｐ１と、後身頃２２を形成する複合シートの伸縮部分末端側の第２最下点Ｐ２とを結ぶ直線ＤＬと、端部Ｐ２を通る後身頃２２を形成する複合シートの端縁を延長した直線ＣＬ２´とのなす角度は、０から５０度である。
2008066008.tif 000002
【特許請求の範囲】
【請求項１】
第１方向に沿うように胴開口の縁部を有する前身頃及び後身頃と、前記前身頃と前記後身頃との間に位置する股下部と、を有するシャーシと、
前記第１方向に対して直交する第２方向に沿うように設けられた前記前身頃及び後身頃の両側縁の接合部と、
少なくとも前記股下部から前記後身頃にわたって配置される吸収体と、
前記接合部を除く前記前身頃の側縁と前記後身頃の側縁とにより形成される脚開口と、を備え、
前記前身頃及び後身頃は、伸縮性シートと非伸縮性シートとを複数の接着部により貼り合わせてなり、前記第１方向に伸縮可能な複合シートにより構成され、
前記後身頃の接合部における前記股下部側の端である第１最下点と、前記後身頃の側縁上における前記複合シートの前記股下部側の端である第２最下点とを結ぶ直線と、前記後身頃を形成する前記複合シートの前記股下部側の端縁を延長した直線とのなす角度は、０から５０度である吸収性物品。
【請求項２】
前記吸収性物品を前記長手方向において等分する中心線を有し、
少なくとも前記後身頃には、該後身頃の側縁に沿うように伸縮部材が配置され、
前記後身頃の前記第２最下点から前記中心線までの最短距離が、
前記前身頃の側縁上における前記複合シートの前記股下部側の端である第３最下点から前記中心線までの最短距離よりも短い請求項１に記載の吸収性物品。
【請求項３】
前記股下部の前記第２方向における長さは、該吸収性物品の前記第２方向における長さに対して０．１５から０．４である請求項１又は２記載の吸収性物品。
【請求項４】
前記脚開口を構成する前記前身頃の側縁は、前記前身頃の前記長手方向における端部側に突出するＵ字状に形成される請求項１から３のいずれかに記載の吸収性物品。
【請求項５】
装着状態において、前記脚開口における前記胴開口側に最も突出する部分は、前記前身頃側に形成される請求項１から４のいずれかに記載の吸収性物品。
【発明の詳細な説明】
【技術分野】
【０００１】
本発明は、使い捨ておむつ等の吸収性物品に関する。
【背景技術】
【０００２】
従来の使い捨ておむつは、装着状態において、脚の動き等よって位置ずれを起こす場合があった。そして、このような位置ずれは、排泄物等が漏れ出す原因となっている。【０００３】
これに対し、例えば、特開２００６―６１６８２号公報（以下、特許文献１という）には、展開状態において、長手方向前側部のフラップ部の下端縁と後側部のフラップ部の下端縁との距離を２１０から２８０ｍｍとすると共に、おむつの長手方向中央部近傍における最小幅部の幅を５０から１６０ｍｍとして、使い捨ておむつを着用者の体型や骨格に対応した形状として、この位置ずれを抑制することを目的とした使い捨ておむつが提案されている。
【発明の開示】
【発明が解決しようとする課題】
【０００４】
しかし、特許文献１における使い捨ておむつは、股下部の長さや幅をせまくしただけなので、使い捨ておむつにおける位置ずれを解決したとは言い難い。特に、特許文献１における使い捨ておむつは、吸収体とシャーシ（シート）との剛性差により生じる隙間やだぶつき等については何ら解決されていない。【０００５】
本発明は、装着状態において生じる位置ずれを抑制することが可能な使い捨ておむつ等の吸収性物品を提供することを目的とする。
【課題を解決するための手段】
【０００６】
（１）  第１方向に沿うように胴開口の縁部を有する前身頃及び後身頃と、前記前身頃と前記後身頃との間に位置する股下部と、を有するシャーシと、前記第１方向に対して直交する第２方向に沿うように設けられた前記前身頃及び後身頃の両側縁の接合部と、少なくとも前記股下部から前記後身頃にわたって配置される吸収体と、前記接合部を除く前記前身頃の側縁と前記後身頃の側縁とにより形成される脚開口と、を備え、前記前身頃及び後身頃は、伸縮性シートと非伸縮性シートとを複数の接着部により貼り合わせてなり、前記第１方向に伸縮可能な複合シートにより構成され、前記後身頃の接合部における前記股下部側の端である第１最下点と、前記後身頃の側縁上における前記複合シートの前記股下部側の端である第２最下点とを結ぶ直線と、前記後身頃を形成する前記複合シートの前記股下部側の端縁を延長した直線とのなす角度は、０から５０度である吸収性物品。【０００７】
（２）  前記吸収性物品を前記長手方向において等分する中心線を有し、少なくとも前記後身頃には、該後身頃の側縁に沿うように伸縮部材が配置され、前記後身頃の前記第２最下点から前記中心線までの最短距離が、前記前身頃の側縁上における前記複合シートの前記股下部側の端である第３最下点から前記中心線までの最短距離よりも短い（１）に記載の吸収性物品。【０００８】
（３）  前記股下部の前記第２方向における長さは、該吸収性物品の前記第２方向における長さに対して０．１５から０．４である（１）又は（２）記載の吸収性物品。【０００９】
（４）  前記脚開口を構成する前記前身頃の側縁は、前記前身頃の前記長手方向における端部側に突出するＵ字状に形成される（１）から（３）のいずれかに記載の吸収性物品。【００１０】
（５）  装着状態において、前記脚開口における前記胴開口側に最も突出する部分は、前記前身頃側に形成される（１）から（４）のいずれかに記載の吸収性物品。
【発明の効果】
【００１１】
本発明によれば、装着状態において生じる位置ずれを抑制することが可能な使い捨ておむつ等の吸収性物品を提供することができる。また、装着時における位置ずれを抑制することで、排泄物等の漏れが発生することを抑制できる使い捨ておむつ等の吸収性物品を提供することができる。
【図面の簡単な説明】
【００１２】
【図１】本発明の実施形態に係る使い捨ておむつの斜視図である。
【図２】図１の使い捨ておむつの展開状態を示す平面図である。
【図３】図１の使い捨ておむつの分解斜視図である。
【図４Ａ】図１の使い捨ておむつの装着時の態様を説明する側面図である。
【図４Ｂ】図４Ａにおける領域Ａを拡大した拡大図である。
【図５】従来の使い捨ておむつの展開状態を示す平面図である。
【図６】従来の使い捨ておむつの装着時の態様を説明する側面図である。
【発明を実施するための形態】
【００１３】
以下、本発明の実施形態について図面を参照しながら説明する。なお、本発明の実施形態は下記の実施形態に何ら限定されることなく、本発明の技術的範囲はこれに限定されるものではない。
【００１４】
また、本実施形態においては、主に前身頃と後身頃とを所定の接合部において接合することにより胴開口及び一対の脚開口を形成するパンツ型の使い捨ておむつについて説明するが、本発明はこのタイプ使い捨ておむつに限定されない。例えば、前身頃と後身頃とを係止部材等で係止させることにより着用可能な展開型の使い捨ておむつを含む。また、例えば、パンツ型に形成された使い捨ておむつの前身頃及び後身頃の所定の接合部において、展開型の使い捨ておむつに用いられるような再係止が可能な面ファスナー等の係止部材により係止され、パンツ型の使い捨ておむつでありながら容易に当該おむつの係止を解除し、パンツ型の使い捨ておむつを展開及び再係止させることが可能な使い捨ておむつを含む。
【００１５】
図１は、本発明の実施形態に係る使い捨ておむつの斜視図である。図２は、図１の使い捨ておむつの展開状態を示す展開図である。図３は、図１の使い捨ておむつの分解斜視図である。
【００１６】
１．実施形態
１−１．全体構成
本実施形態におけるパンツ型の使い捨ておむつ１を用いて、本発明に係る使い捨ておむつの全体構成を説明する。なお、本実施形態においては、使い捨ておむつ１のうち着用者の身体に向けられる一方側を肌当接面側とし、肌当接面側と反対の他方側を非肌当接面側とする。また展開状態の使い捨ておむつ１の幅方向ＷＤは第１方向の一例であり、展開状態の使い捨ておむつ１の長手方向ＬＤは、第１方向に対して交差する第２方向の一例である。
【００１７】
図１及び図２に示すように、本実施形態に係る使い捨ておむつ１は、使い捨ておむつ１の外形を形成し、装着時において胴回りを形成するシャーシ２を有する。シャーシ２は、着用者の腹側に配置され、幅方向ＷＤに沿って胴開口８の縁部を有する前身頃２１と、着用者の背側に配置され、幅方向ＷＤに沿って胴開口８の縁部を有する後身頃２２と、前身頃２１と後身頃２２との間に配置される股下部２３とを有する。
【００１８】
図２に示すように、股下部２３は、使い捨ておむつ１の幅方向に対して前身頃２１及び後身頃２２よりも幅狭になっており、股下部２３と連続する前身頃２１及び後身頃２２もその一部において幅狭になっている。また、使い捨ておむつ１は、展開状態において、長手方向における両端側が幅広であり、長手方向における中央域が幅狭になるよう形成される。つまり、使い捨ておむつ１（シャーシ２）は、いわゆる砂時計型に形成される。
【００１９】
図１に示すように、使い捨ておむつ１は、前身頃２１及び後身頃２２の両側縁に長手方向ＬＤに沿うように所定の接合部２４が設けられている。使い捨ておむつ１は、前身頃２１と後身頃２２とを接合部２４で接合することにより、いわゆるパンツ型形に形成される。
【００２０】
具体的には、使い捨ておむつ１は、図２に示すように、長手方向ＬＤに沿うように設けられた前身頃２１における接合部２４ａと後身頃２２における接合部２４ｂとを貼り合わせるようにして接合することで、図１に示すようなパンツ型に形成される。すなわち、側縁９５、９５それぞれにより一対の脚開口７、７が形成される。そして、幅方向ＷＤに沿うような縁部（前縁９１及び後縁９３）により胴開口８が形成される。
【００２１】
脚開口７、７には、該脚開口７、７における周縁の全部又は一部に沿うように所定の弾性部材を配置することができる。弾性部材は、本発明に係る、少なくとも後身頃２２において、脚開口７、７側の側縁に沿うように配置される伸縮部材の一例である。具体的には、図２に示すように、後身頃２２における側縁９５ｃ、９５ｃに沿うように糸状若しくは帯状の弾性部材７２を複数配置することができる。これにより、図１に示すようにレッグギャザー７１、７１を設けることができる。
【００２２】
同様に、胴開口８には、該胴開口８における周縁に沿うように所定の弾性部材を配置することができる。具体的には、図２に示すように、前身頃２１における前縁９１に該前縁９１に沿うように糸状若しくは帯状の弾性部材８２を複数配置すると共に、後身頃２２における後縁９３に該後縁９３に沿うように糸状若しくは帯状の弾性部材８２を複数配置することができる。これにより、図１に示すようにウエストギャザー８１を設けることができる。
【００２３】
また、図３に示すように、使い捨ておむつ１は、着用者の肌当接面側に設けられ、表面層を構成する縦長状に形成される液透過性の表面シート３と、表面シート３とシャーシ２との間に配置され吸収層を構成する縦長状に形成された液保持性の吸収体４と、着用者の非肌当接面側に設けられ裏面層を構成する縦長状に形成された液不透過性の裏面シート５とを有する。表面シート３、吸収体４及び裏面シート５のそれぞれは、股下部２３を介して前身頃２１から後身頃２２に長手方向に沿って配置される。これにより、排泄部から排泄された尿等の排泄物は、表面シート３における液透過領域を透過して、吸収体４で吸収される。非肌当接面側に配置される裏面シート５は、液不透過性であるため、尿等の排泄物は非肌当接面側には透過せず、吸収体４に吸収された状態で保持される。表面シート３又は裏面シート５は、本発明に係る少なくとも吸収体４の一方面側を覆うシート部材の一例である。
【００２４】
１−２．シャーシ
図１及び図２に示すように、シャーシ２は、着用時（装着時）における着用者の腹側に配置される前身頃２１と、着用者の背側に配置される後身頃２２と、前身頃２１と後身頃２２との間に配置される股下部２３とを備える。前身頃２１と、股下部２３と、後身頃２２とは、一方側から前述の順序で長手方向ＬＤに沿って形成される。
【００２５】
シャーシ２の長手方向ＬＤにおける長さは、６５０から８００ｍｍが好ましく、幅方向ＷＤにおける長さは、４５０から９００ｍｍが好ましい。また、前身頃２１の長手方向ＬＤにおける長さは、１８５から２８５ｍｍが好ましく、長手方向ＬＤ外側（前縁９１）の幅方向ＷＤにおける長さは、４５０から９００ｍｍが好ましい。後身頃２２の長手方向ＬＤにおける長さは、２８５から３８５ｍｍが好ましく、長手方向ＬＤ外側（前縁９１）の幅方向ＷＤにおける長さは、４５０から９００ｍｍが好ましい。
【００２６】
股下部２３の長手方向ＬＤにおける長さは、１３０から２３０ｍｍが好ましく、幅方向ＷＤにおける長さは、１００から２００ｍｍが好ましい。そして、股下部２３の長手方向ＬＤにおける長さは、シャーシ２の長手方向ＬＤにおける長さに対して０．１５から０．４である。
【００２７】
シャーシ２における前身頃２１及び後身頃２２は、幅方向ＷＤに伸縮可能な伸縮性不織布により形成される。具体的には、前身頃２１及び後身頃２２は、伸縮性不織布と非伸縮性不織布とが積層（接合）された複合シートであって、伸縮性不織布を伸張させた状態で、非伸縮性不織布を伸縮性シートにおける所定の伸縮方向（ここでは幅方向ＷＤ）に対し所定間隔で接合させた複合シートにより形成される。つまり本発明に係る構成では、前記前身頃２１及び後身頃２２においては、伸縮性不織布のシートと非伸縮性不織布のシートとを、複数の接着部により貼り合わせてなる伸縮性の複合シートにより構成されている。この複合シートの自然状態（伸縮していない状態）における坪量は３０から２３０ｇ／ｍ２であり、複合シートを構成する各不織布や各シートの坪量の合計（接合していない状態）は３０から１３０ｇ／ｍ２である。
【００２８】
シャーシ２における脚開口側の側縁９５、９５は、幅方向ＷＤにおける中心線ＣＬ１側に入り込むようなＵ字形状となっている。この側縁９５、９５は、前身頃２１に形成される９５ａ、９５ａと、股下部２３に形成される９５ｂ、９５ｂと、後身頃２２に形成される９５ｃ、９５ｃと、により構成される。側縁９５、９５は、装着時において一対の脚開口７、７を形成する。
【００２９】
前身頃２１に形成される側縁９５ａ、９５ａは、前身頃２１の長手方向における端部側（前面側）に突出する緩やかなＵ字状に形成される。つまり、側縁９５ａ、９５ａは、接合部２４ａ近傍よりも裏面シート５側で、胴開口８の縁部側に入り込むパターンを有する（図２ではＵ字形状の側縁９５、９５における１９５を参照）。ここで、図５に示すように、従来の使い捨ておむつは、前身頃に形成される側縁の幅方向ＷＤにおける端部が、長手方向ＬＤにおいて最も長手方向外側（前面側）に位置する。これに対し、本実施形態における使い捨ておむつ１の側縁９５ａ、９５ａにおいて、長手方向ＬＤに最も突出する部分は、上述のＵ字状における突出部１９５、１９５であり、脚開口における開口パターンが胴開口８の縁部側に最も突出するように形成される。
【００３０】
股下部２３に形成される側縁９５ｂ、９５ｂは、シャーシ２の側縁９５、９５からさらに、幅方向ＷＤについて内側に入り込む領域を構成する。
【００３１】
後身頃２２における側縁９５ｃ、９５ｃは、長手方向ＬＤの外側、つまり胴開口側に進むに従い、幅方向ＷＤの外側に広がる直線状に形成される。例えば、任意の側縁９５ｃに関し、装着形態の後身頃２２における接合部２４の最下点Ｐ１（本発明における第１最下点）と、後身頃２２を形成する複合シートの後身頃２２及び股下部２３の境目である伸縮部分末端側の端部Ｐ２（本発明における第２最下点）とを結ぶ直線ＤＬと、端部Ｐ２を通る後身頃２２を形成する複合シートの端縁を延長した直線ＣＬ２´とのなす角度θは、０から５０度、好ましくは２０から４０度である。この角度θが上述の範囲である場合、装着時における胴回り方向と脚開口７、７を構成する側縁９５ｃ、９５ｃとがなす角度、より具体的には図４Ａ，４Ｂを参照して、装着時における優れた伸縮性を有する伸縮方向ＥＤと線Ｌ１とのなす角度θ´が、０から５０度、好ましくは２０から４０度になるため好ましい。
【００３２】
図２に示すように、シャーシ２は、吸収性物品１を長手方向ＬＤにおいて等分する中心線ＣＬ２から、上記端部Ｐ２までの距離Ｙが、中心線ＣＬ２から、前身頃２１を形成する複合シートの後身頃２２及び股下部２３の境目である伸縮部分末端側の端部Ｐ３（本発明における第３最下点）までの距離Ｘよりも短くなるよう形成される。また、例えば、後述する前縁９１に沿うように配置される弾性部材８２の中心線ＣＬ１と交わる点から中心線ＣＬ２までの距離と、後縁９３に沿うように配置される弾性部材８２の中心線ＣＬ１と交わる点から中心線ＣＬ２までの距離の比は、６５から８５：３５から１５となるように形成することができる。このように形成されることで、後身頃２２における側縁９５ｃ、９５ｃは、装着時において、脚の内側から外側に沿うように配置されるよう装着される。
【００３３】
また、図２に示すように、幅方向ＷＤにおける一方の側縁９５ｃから他方の側縁９５ｃにわたって弾性部材７２が配置される。具体的には、弾性部材７２は、脚開口７、７の側縁９５ｃ、９５ｃそれぞれに沿うように配置されると共に、側縁９５ｃ、９５ｃの幅方向内側同士を繋ぐように連続して幅方向ＷＤと平行に配置される。この側縁９５ｃ、９５ｃに沿うように配置される弾性部材７２、７２は、装着時において脚開口７に形成されるレッグギャザー７１を構成し、後身頃２２の位置ずれを抑制する。なお、弾性部材７２は、糸状のものであっても帯状のものであってもよい。帯状の弾性部材として、例えば、ポリウレタンとポリプロピレンの混合繊維から形成される不織布等のような伸縮性不織布や伸縮フィルム等の伸縮性を有する弾性シートを用いることができる。
【００３４】
また、図２に示すように、胴開口８の前縁９１及び後縁９３の近傍には、前縁９１及び後縁９３それぞれに沿うように弾性部材８２が複数形成される。この弾性部材８２は、装着時において、胴開口８に形成されるウエストギャザー８１を構成し、使い捨ておむつ１における下方への位置ずれを抑制する。なお、弾性部材８２は、帯状のものであってもよい。弾性部材８２は、例えば、ポリウレタンとポリプロピレンの混合繊維から形成される不織布等のような伸縮性不織布や伸縮フィルム等の伸縮性を有する弾性シートを用いることができる。
【００３５】
また、図２に示すように、シャーシ２には、前身頃２１及び後身頃２２それぞれの幅方向ＷＤの両側縁に長手方向ＬＤに沿うように接合部２４ａ、２４ａ及び接合部２４ｂ、２４ｂが形成される。この前身頃２１における接合部２４ａ、２４ａと、後身頃２２における接合部２４ｂ、２４ｂを、超音波シールにより間欠的に接合することで、前身頃２１と後身頃２２とが接合される。これにより、シャーシ２は、図１に示すようなパンツ形状に形成される。この接合部２４における他の接合方法としては、熱シールやホットメルト接着剤等による接合を例示できる。
【００３６】
１−３．吸収体
吸収体４は、液保持性を有し、略縦長状に形成される。ここで、略縦長とは、長手方向と幅（短手）方向を有する略矩形のものを含むものとし、また、長手方向の両辺の一部が長手方向における中心方向に窪んだものや、中心方向と反対方向に隆起したものを含むものとする。つまり、吸収体４は、吸収体４の長手方向の一部に幅方向における長さが異なるものを含むものとする。
【００３７】
吸収体４は、ティッシュ（図示せず）や親水性不織布（図示せず）に包まれた状態で配置されるようにしてもよい。また、親水性不織布に包まれている場合、使い捨ておむつ１において、表面シート３を用いない構成や表面シート３を部分的にのみ用いる構成としてもよい。これにより、生産コストの減少を図ることが可能である。
【００３８】
また、吸収体４は、シャーシ２を構成する伸縮性の複合シートよりも高剛性である。言い換えると、吸収体４の近傍に配置される複合シートは、吸収体４よりも低剛性である。従来、シャーシ２と吸収体４とにおいて剛性差がある場合には、吸収体４の近傍に配置されたシャーシ２における所定領域は、吸収体４の変形状態による影響を受けてシャーシ２と身体との間に隙間が生じる場合があった。本実施形態における使い捨ておむつ１は、上述のような構成をとることで、この隙間の発生を抑制している。
【００３９】
１−４．その他
ここで、液透過性の表面シート３と吸収体４とは、ホットメルト接着剤により貼り合わされるようにして接合される。また、表面シート３及び吸収体４とシャーシ２とは、ホットメルト接着剤により貼り合わされるようにして接合される。また、同様に、シャーシ２と液不透過性の裏面シート５とは、ホットメルト接着剤により貼りあわされるようにして接合される。
【００４０】
１−５．装着時における態様
以下に、使い捨ておむつ１における装着時の態様について説明する。
図１及び図４Ａ及び図４Ｂに示すように、装着時において、使い捨ておむつ１は、前縁９１及び後縁９３により形成される胴開口８と、胴開口８と対向する側に形成され側縁９５、９５により形成される一対の脚開口７、７とを有するよう形成される。つまり、脚開口７、７は、接合部２４ａ、２４ａ及び接合部２４ｂ、２４ｂを除く前身頃の側縁と後身頃の側縁とにより形成される。
【００４１】
前身頃２１及び後身頃２２は伸縮性の複合シートにより構成されているので、前身頃２１及び後身頃２２は全体的に胴回り方向において優れた伸縮性を有する。また、胴開口８には、複数の弾性部材８２により形成されるウエストギャザー８１が配置され、脚開口７、７それぞれには、複数の弾性部材７２により形成されるレッグギャザー７１が配置される。このウエストギャザー８１及びレッグギャザー７１は、身体における胴部及び脚部を適度に圧迫するように配備される。
【００４２】
そして、この胴回り方向に伸縮する前身頃２１及び後身頃２２と、ウエストギャザー８１と、レッグギャザー７１とにより、身体の形状に沿うように変形してフィットすると共に、脚の動き等による使い捨ておむつ１の位置ずれが抑制される。ここで、使い捨ておむつ１の位置ずれとして、上述した吸収体４とシャーシ２との剛性差により生じる隙間等が問題となる。具体的には、装着時において着用者の臀部から脚部にかけて（後身頃２２の下方部）に生じる隙間やだぶつきが排泄物の漏れを生じさせるので特に問題となる。
【００４３】
ここで、図４Ａ及び図４Ｂに示すように、使い捨ておむつ１における胴回り方向（伸縮方向）と、脚開口７を構成する後身頃２２の外縁である側縁９５ｃとがなす角度θ´は、およそ３０度である。本実施形態における使い捨ておむつ１は、従来の使い捨ておむつよりも伸縮方向とのなす角度θ´を小さくしている。つまり、装着時において、脚開口７の側縁９５が水平な直線に近づくように形成されている。この角度θ´が上記範囲である場合には、前身頃２１の伸縮（収縮）力が好適に後身頃２２の下方部を引き上げるように作用する。更には、胴回り方向に伸縮する前身頃２１と、脚開口７、７における後身頃２２側に配置されるレッグギャザー７１、７１を構成する複数の弾性部材７２が引き合うようにして、後身頃２２側の下方部における位置ずれを抑制する。
【００４４】
また、脚開口７、７における胴開口８側に最も入り込むパターンの部分１９５、１９５は、前身頃２１側に形成される。このような構成により、前身頃２１における伸縮（収縮）力は、より好適に後身頃２２の下方部を引き上げるように作用する。
【００４５】
本実施形態の使い捨ておむつ１は、吸収体４とシャーシ２との剛性差による隙間の発生を抑制することができる。よって、上述の隙間が発生することで生じる排泄物の漏れを抑制できる
【００４６】
また、本実施形態の使い捨ておむつ１において、前身頃２１の脚開口７の側縁９５ａ、９５ａには弾性部材を配置していないが、当然に配置することができる。前身頃２１側の側縁９５ａ、９５ａに沿うように弾性部材を配置した場合、後身頃２２の側縁９５ｃ、９５ｃに配置される複数の弾性部材７２は、前身頃２１自体に加え、前身頃２１の側縁９５ａ、９５ａに沿うように配置された複数の弾性部材と引き合うので、後身頃２２の下方部の位置ずれがより好適に抑制される。
【００４７】
ここで、角度θ´は、使い捨ておむつ１に適した使用対象者に実際に装着させた状態で測定することができる。また、角度θ´は、脚開口７、７を使用時に想定される伸縮度（例えば、１２０％）になるよう伸長させる径の円柱を挿通させた状態で測定することもできる。
【００４８】
本実施形態の使い捨ておむつ１によれば、吸収体４とシャーシ２との剛性差により生じる隙間等、具体的には、装着時において着用者の臀部から脚部にかけて（後身頃２２の下方部）に生じる隙間やだぶつきの発生を抑制できるので、この隙間やだぶつきにより生じる排泄物の漏れを抑制できる。
【００４９】
また、本実施形態の使い捨ておむつ１によれば、上述のように隙間やだぶつきの発生を抑制できるので、はき心地が良好となる。
【００５０】
また、本実施形態の使い捨ておむつ１によれば、同様に隙間やだぶつきの発生を抑制できるので、使い捨ておむつ１の上から服を着た場合におけるシルエットが良好となる。
【００５１】
なお、本実施形態においては、シャーシ２が、前身頃２１、後身頃２２及び股下部２３を有する構成であるが、これに限定されず、例えば、前身頃２１と後身頃２２とを有するシャーシ２の前身頃２１と後身頃２２との間に他の部材である股下部２３を配置してもよい。また、例えば、シャーシ２が、前身頃２１及び後身頃２２を有し、表面シート３、吸収体４及び裏面シート５を有する独立した股下部をシャーシ２と接合させるものであってもよい。この場合、股下部における裏面シート５とシャーシ２とを接合してもよく、裏面シート５にシャーシ２の役割をもたせるものであってもよい。
【００５２】
また、本実施形態においては、裏面シート５は、着用者の非肌当接面側に配置されるがこれに限定されず、例えば、吸収体４とシャーシ２との間に配置してもよく、シャーシ２が複数枚のシート部材から形成される場合においては、それぞれのシート部材の間に配置してもよい。また、裏面シート５は、裏面シート５の非肌当接面側に不織布等を接合させたものを使用してもよい。裏面シート５の非肌当接面側に不織布等を接合させることにより、着用者の装着時等における肌触りが向上するため好ましい。また、裏面シート５にフィルムを使用した場合には、フィルムに不織布等を接合させることにより、例えば、フィルムの擦れから生じる不快な音の発生を防止できるため好ましい。
【００５３】
２．各構成物
以下に、使い捨ておむつの各構成物について説明する。
【００５４】
２−１．シャーシ
本実施形態の使い捨ておむつ１において、シャーシ２には、２枚のシートを貼り合わせた複合シートが用いられているが、これに限定されず、一枚のシートで構成されていてもよい。また、シャーシ２は、通気性で、着用中に圧縮、捩れ、摩擦等による負荷がかかっても、破損しない強度を有し、肌に刺激を与えない材料が好ましい。
【００５５】
２−２．表面シート
表面シート３は、装着時には身体側に配置され、排泄部に当接される。表面シート３は、全面が液透過性であっても良く、一部が液透過性であってもよい。また、表面シート３は、一枚のシート状部材で構成されていても良く、複数のシート状部材が接着されて構成されていてもよい。表面シート３としては、例えば、上記シャーシ２で例示したものを用いることができる。
【００５６】
２−３．吸収体
吸収体４として、例えば、高吸収性ポリマーと親水性繊維とが混合されて積層されたものや、高吸収性ポリマーが親水性シートにホットメルト接着剤等により固定化されたものを用いることができる。
【００５７】
２−４．弾性部材
弾性部材としては、例えば、天然ゴムや、スチレン−ブタジエン、ブタジエン、イソプレン等の合成ゴムを用いることができる。また、シート状の弾性部材としては、例えば、坪量が３０から８０ｇ／ｍ２の発泡ポリウレタン、坪量が２０から８０ｇ／ｍ２のポリウレタンとポリプロピレンとの混合繊維から形成される不織布等を用いることができる。
【００５８】
２−５．接着剤
上述のように、表面シート３及び吸収体４とシャーシ２とは、それぞれがホットメルト接着剤により貼り合わされるようにして接合される。また、表面シート３と吸収体４とは、ホットメルト接着剤により貼り合わされるようにして接合される。なお、接合は、上記ホットメルト接着に限られず、例えば、熱シール、超音波シール等を単独又は組み合わせて使用してもよい。
【図１】
2008066008.tif 000003
【図２】
2008066008.tif 000004
【図３】
2008066008.tif 000005
【図４Ａ】
2008066008.tif 000006
【図４Ｂ】
2008066008.tif 000007
【図５】
2008066008.tif 000008
【図６】
2008066008.tif 000009
【国際調査報告】
2008066008.tif 000010
2008066008.tif 000011
2008066008.tif 000012